(57)【要約】  【課題】  土壌の改良、病害の防止、肥料の節約、農薬の減量、メンテナンスの簡素化等、植物、特に芝を管理する上で多くのメリットが得られる多機能サンド及びその施工方法を提供する。  【解決手段】  直径０．５〜５ｍｍの基材粒子２の表面に、医王石粉末４がバインダー３を介してコーティングされたことを特徴とする多機能サンド１である。【選択図】  図１
2006096787.tif 000002
【特許請求の範囲】
【請求項１】
直径０．５〜５ｍｍの基材粒子の表面に、医王石粉末がコーティングされたことを特徴とする多機能サンド。
【請求項２】
前記基材粒子が、天然鉱物、ＳｉＯ２、Ｃａの少なくとも一つを主体とした無機系粒子であることを特徴とする請求項１記載の多機能サンド。
【請求項３】
前記コーティングが、コロイダルシリカ系樹脂をバインダーとしてなされている特徴とする請求項１または２記載の多機能サンド。
【請求項４】
請求項１〜３のいずれか１項に記載の多機能サンドを、植栽土壌の上に散布することを特徴とする多機能サンドの施工方法。
【発明の詳細な説明】
【技術分野】
【０００１】
本発明は多機能サンド及びその施工方法に関し、特にゴルフ場などにおける芝の育成において、土壌改良、病害防止、芝の品質向上等の作用を有する多機能サンド及びその施工方法に関する。
【背景技術】
【０００２】
ゴルフ場などにおける芝の育成管理において、根腐れや土質の改良を目的としてゼオライト等の多孔質天然鉱物粉末が従来より多く利用されている。
また、籾殻炭をマイナスイオン化処理し、石灰窒素を混ぜてなる植物育成材の提案も知られている（特許文献１）。
更には、光半導体粉末からなる光触媒機能体で水を処理し、この処理水を植物に与える栽培方法の提案もなされている（特許文献２）。
このように、従来、植物の成長を促進し、また、病害を防止するなどの目的で幾多の機能材料や栽培方法が提案され、実地に採用されている。
【０００３】
【特許文献１】特開平９−１６５２８４号公報
【特許文献２】特開２００１−１９７８３１号公報
【発明の開示】
【発明が解決しようとする課題】
【０００４】
ところで、上述したゼオライト粉末等の土質改良材にはアンモニアの吸着や捕肥効果はあるものの、ミネラル分の供給、有害菌の殺菌作用、ｐｈ調整作用等、高品質な植物の育成に必要な諸々の効果全てを満たすものではなく、又、これらは多孔質(軽量)ゆえに風により飛散したり、雨により土壌中に浸透してしまい長期持続効果が望めないという問題があった。
【０００５】
本発明は、土壌の改良、病害の防止、肥料の節約、農薬の減量、メンテナンスの簡素化等、植物、特に芝を管理する上で多くのメリットが得られる多機能サンド及びその施工方法を提供することを目的としてなされたものである。
【課題を解決するための手段】
【０００６】
請求項１の本発明は、直径０．５〜５ｍｍの基材粒子の表面に、医王石粉末がコーティングされたことを特徴とする多機能サンドである。
【０００７】
請求項２の本発明は、請求項１における前記基材粒子が、天然鉱物、ＳｉＯ２、Ｃａの少なくとも一つを主体とした無機系粒子であることを特徴とする多機能サンドである。
【０００８】
請求項３の本発明は、請求項１または２における前記コーティングが、コロイダルシリカ系樹脂をバインダーとしてなされていることを特徴とする多機能サンドである。
【０００９】
そして請求項４の本発明は、請求項１〜３のいずれか１項に記載の多機能サンドを、植栽土壌の上に散布することを特徴とする多機能サンドの施工方法である。
【００１０】
即ち、本発明の多機能サンドは、天然鉱物、ＳｉＯ２、Ｃａの少なくとも一つを主体とした直径０．５〜５ｍｍの基材粒子の表面に、コロイダルシリカ系などのバインダーを用いて医王石粉末をコーティングしたことを特徴とするものである。
本発明に使用する医王石とは石川県戸室地区で採取される鉱石であり、戸室石とも呼ばれているものである。学名は石英閃緑玲石である。組織は完晶質斑状組織、造岩鉱物は斜長石、溶融をうけた石英を主とし、角閃石・単斜輝石・緑泥岩・リン石灰・緑シン石よりなっている。いくつかのサンプルの定量分析の結果を表１に示してある。形態的には多孔質に富み、良質な多種元素を豊富にバランス良く、活性度高く含有する特性ある鉱物である。
【００１１】
【表１】
2006096787.tif 000003
【００１２】
この医王石粉末を、例えば芝に散布するとアンモニアや残留農薬等の有害物質を吸着殺菌すると同時に、土壌のｐｈを適度に調整して根腐れを防止し、ミネラル分を少しずつ溶出させ、芝の活性に最適な土壌環境を作る鉱石であることが近年の研究で明らかになっている。しかしながら、医王石は希少鉱物であることから高価であり、仮にこれを芝に散布したとしても前述のゼオライト同様に風雨により損失するため、医王石をそのまま芝に散布することは実用的ではない。そこで本発明は、安価で比重の重い鉱物(例えば珪砂)、またはＳｉＯ２(例えば廃ガラス粒)、またはＣａ（例えばサンゴや貝殻粒）を主体とした無機系基材表面に、医王石粉末をコーティングすることとした。これにより、医王石の持つ機能はそのままに、風雨により損失することなく、尚且つ低コストの多機能サンドを提供することができるようにした。
【発明の効果】
【００１３】
本発明による多機能サンドは、風雨により損失しない粒度に調整した無機系粒子の表面に、付着性と耐久性に富んだバインダーを介し、医王石粉末粒子が頭出しするようコーティングできるため、医王石の効力を発揮し尚且つ風雨により損失することがなく、しかも低コストな多機能サンドを提供することができる。又土譲に散布された多機能サンドは土譲中に浸透することなく表面に滞在するため植物、特に芝等に好適な育成環境を長期間維持することができる。このため病害を防止し、肥料、農薬の減量もできる。
【発明を実施するための最良の形態】
【００１４】
図1は本発明の多機能サンド１の構成を示す図である。本発明の多機能サンド１は、直径０．５〜５ｍｍの無機系粒子を基材粒子２とし、コロイダルシリカ系樹脂をバインダー３として介し、基材粒子２の表面に医王石粉末４を坦持させている。
【００１５】
基材粒子２となる粒子は飛散を防止するために比重２以上の無機系鉱物が好ましく、耐久性やコストを考慮すると珪砂もしくは廃ガラス粒もしくはサンゴ粒、貝殻粒等が好ましい。粒径は０．５〜５ｍｍが好ましく、更に好ましくは１〜３ｍｍが好適である。０．５ｍｍ以下では雨により土壌中に浸透しやすく、風により飛散しやすくなるため土壌表面に長期間滞在させることが困難になるため好ましくない。又粒径が５ｍｍを超えると芝目の間に入りにくく、やはり土壌表面に滞在することが困難になるため好ましくない。
【００１６】
医王石粉末４は粒径０．５〜１００μｍが好ましく、更に好ましくは１〜５０μｍが好適である。粒径が０．５μｍ以下になると、基材粒子２にコーティングする際に医王石粉末４がバインダー３中に埋没し、医王石の機能を損失する可能性が高まるため好ましくない。又１００μｍ以上になると基材粒子２の表面に均等にコーティングすることが困難になるためやはり好ましくない。
【００１７】
バインダー３となる樹脂は密着性を高めるため、基材粒子２及び医王石粉末４の主成分と同じシリカ系の樹脂が好ましく、特にコロイダルシリカ系の樹脂は無機系基材粒子２、医王石粉末４ともに付着性に優れるため好適に使用できる。バインダー３はあまり高粘度になるとコーティング作業が困難になる他、医王石粉末４が樹脂中に埋没しやすくなるため好ましくなく、粘度が低すぎると付着力が弱まるため均等にコーティングすることが困難となるためやはり好ましくなく、医王石粉末４がバインダー３中に埋没する事なく医王石粉末４の粒子が頭出しし、尚且つ均等にコーティングするには５〜３０ｃｐｓ程度の粘度が好適となる。
【００１８】
上述した原料を用いて多機能サンド１を製造する際の配合は以下の通りである。
配合物          重量部
珪砂            １００
バインダー        ２０
医王石粉末        ５０
これらの配合物を珪砂、バインダー、医王石粉末の順にミキサーに投入し、リッター当たり１０分間のミキシングを行った後に２４時間乾燥を行うと、前述した多機能サンド１が得られる。
【００１９】
次に、本発明による多機能サンド１を使用した場合の結果について説明する。本発明による多機能性サンド１は比重が重く平均１〜３ｍｍ以下の粒子であるため散布性がよく、例えば芝に施工する場合、小面積の場合は手撒きすれば良く、広面積の場合はエアーコンプレッサーの空気圧を利用して連続散布することができる。散布された多機能サンド１は速やかに芝目に入り込み、風に飛散されることなく、雨に浸透されることなく土譲表面に滞在する。
【００２０】
図２は、寒地型芝草であるトールフェスク、ケンタッキーブルーグラス、ペレニアルライグラスについて、本発明の多機能サンド１を、（ａ）散布しない場合、（ｂ）次の（ｃ）の半分の量の多機能サンド１を散布した場合、（ｃ）多機能サンド１を散布した場合について、葉身長を測定した結果である。測定は、播種後２週間（２０〜２５℃）に行った。
【００２１】
トールフェスクでは、（ａ）の場合３２．３ｍｍ、（ｂ）の場合４０．３ｍｍ、（ｃ）の場合５０．１ｍｍであった。
ケンタッキーブルーグラスでは、（ａ）の場合１４．４ｍｍ、（ｂ）の場合１６．０ｍｍ、（ｃ）の場合２４．９ｍｍであった。
ペレニアルライグラスでは、（ａ）の場合３０．２ｍｍ、（ｂ）の場合２９．８ｍｍ、（ｃ）の場合４２．４ｍｍであった。
何れの芝草についても、本発明の多機能サンド１によって成長を促進することができた。
【図面の簡単な説明】
【００２２】
【図１】本発明の実施形態の多機能サンドの拡大断面図である。
【図２】同じく多機能サンドを散布した場合の、芝草の葉身長を測定した結果を示すグラフである。
【符号の説明】
【００２３】
１          多機能サンド
２          基材粒子
３          バインダー
４          医王石粉末
【図１】
2006096787.tif 000004
【図２】
2006096787.tif 000005